(57)【要約】【課題】起立状態の表示部を実現する。【解決手段】容器Ｂ首部Ｂ２を挿通させ表示部１１ａ，１１ｂを起立可能なネックＰＯＰラベル１０であって、中心１２ａが一致するようにネック挿通部１２の周囲に設けられた仮想矩形１４において、頂点１５ａ〜１５ｄから中心側に向けて延在する４本の放射切断線１６ａ〜１６ｄと、放射切断線端部１７ａ，１７ｂを結ぶ中心切断部１７と、を有し、容器に装着した際に、放射切断線と横辺との間に形成される胴部係止部１９ａ，１９ｂの下端が、起立した表示部どうしを縦辺の横方向外側で接続する接続部１３ａ，１３ｂよりも、高さ方向下側に位置される。【選択図】図１
2019064664.tif 000002
【特許請求の範囲】
【請求項１】
容器上端部に設けられた首部を挿通させる首掛け用のネック挿通部を有し、前記挿通部の縦方向両側に位置する表示部を起立可能なネックＰＯＰラベルであって、
前記ネック挿通部とその中心が一致するとともに対向する二辺が前記縦方向と一致するように前記ネック挿通部の周囲に設けられた仮想矩形において、
前記仮想矩形の頂点から前記ネック挿通部中心側に向けて延在する４本の放射切断線と、
前記放射切断線の前記ネック挿通部中心側端部を結ぶ中心切断部と、を有し、
前記容器に装着した際に、
前記放射切断線と前記横辺との間に形成される胴部係止部の下端が、起立した前記表示部どうしを前記縦辺の横方向外側で接続する接続部よりも、高さ方向下側に位置されることを特徴とするネックＰＯＰラベル。
【請求項２】
前記仮想矩形における前記縦方向に延在する縦辺の長さをａとし、前記仮想矩形における前記縦方向と直交する横方向に延在する横辺の長さをｂとし、
前記容器の首部径寸法をｒとしたときに、
（ａ＋ｂ）／ｒの値が、２．５５〜２．６５の範囲となるように設定されることを特徴とする請求項１記載のネックＰＯＰラベル。
【請求項３】
前記放射切断線と前記縦辺との間に形成されるネック係止部において、前記縦辺から前記ネック挿通部中心側へ最も突出した中心突出長さをｃとしたときに、
ｃ／ｒの値が、０．４８５〜０．４９５の範囲となるように設定されることを特徴とする請求項１または２記載のネックＰＯＰラベル。
【請求項４】
前記胴部係止部において、前記横辺から前記ネック挿通部中心側へ最も突出した下側突出長さをｄとしたときに、
ｄ／ｒの値が、０．５６〜０．６６の範囲となるように設定されることを特徴とする請求項１から３のいずれか記載のネックＰＯＰラベル。
【請求項５】
前記縦辺の長さａと前記容器の首部径寸法ｒとにおいて、
ａ／ｒの値が、１．２５〜１．３５の範囲となるように設定されることを特徴とする請求項１から４のいずれか記載のネックＰＯＰラベル。
【請求項６】
前記横辺の長さｂと前記容器の首部径寸法ｒとにおいて、
ｂ／ｒの値が、１．２５〜１．３５の範囲となるように設定されることを特徴とする請求項１から５のいずれか記載のネックＰＯＰラベル。
【請求項７】
前記縦辺の長さａと  前記横辺の長さｂとにおいて、
ｂ／ａの値が、０．９５〜１．００の範囲となるように設定されることを特徴とする請求項１から６のいずれか記載のネックＰＯＰラベル。
【請求項８】
前記中心突出長さｃと前記下側突出長さｄとにおいて、
ｄ／ｃの値が、１．００〜１．４０の範囲となるように設定されることを特徴とする請求項４から７のいずれか記載のネックＰＯＰラベル。
【請求項９】
前記横方向における前記胴部係止部どうしの最近接距離（ｂ−２ｃ）において、
（ｂ−２ｃ）／ｒの値が、０．３０〜０．３２の範囲となるように設定されることを特徴とする請求項４から８のいずれか記載のネックＰＯＰラベル。
【請求項１０】
前記横方向における前記放射切断線とネックＰＯＰラベル輪郭線との最短距離をｅとしたときに、
ｅ／ｒの値が、０．３５〜０．４０の範囲となるように設定されることを特徴とする請求項１から９のいずれか記載のネックＰＯＰラベル。
【請求項１１】
前記ネック係止部において、前記縦辺から前記ネック挿通部中心側へ最も突出した中心突出部が、前記容器のネックと点接触可能とされていることを特徴とする請求項３から１０のいずれか記載のネックＰＯＰラベル。
【発明の詳細な説明】
【技術分野】
【０００１】
本発明はネックＰＯＰラベルに関し、特に各種容器に装着して諸情報を表示するための起立方ネックＰＯＰラベルに用いて好適な技術に関する。
【背景技術】
【０００２】
一般に、清涼飲料水や酒類などの飲料、調味料等の食品、乳液等の化粧品等について、商品のＰＲやキャンペーン、くじ、レシピ紹介を行う場合には、店頭陳列時に消費者の注意を喚起してその広告効果を高めるために、商品名、特徴、キャッチフレーズ、その他の情報を表示したネックＰＯＰラベルを容器等の首部に装着することがおこなわれている。
【０００３】
この種のネックＰＯＰラベルとして、特許文献１，２には、容器の首部を挿通させて掛止するよう、シート片に挿通孔を形成し、首部を挿通させる切れ目を形成するとともに、ネックＰＯＰラベルの表示面を容器の首部よりも上側に起立させるものが記載されている。
【０００４】
さらに、単層のネックＰＯＰラベルとして、特許文献３に記載されたものが知られている。
【先行技術文献】
【特許文献】
【０００５】
【特許文献１】特開２００５−６２７０２号公報
【特許文献２】特許第５２５４１７０号公報
【特許文献３】特開２００７−３２０６００号公報
【発明の概要】
【発明が解決しようとする課題】
【０００６】
しかし、上記の特許文献１，２に記載されたものは、いずれも複数のシートを貼り合わせており、起立型のネックＰＯＰラベルを単層で実現したいという要求があった。
また、起立する部分が単層となった場合、容器に装着した際、自重にて垂れ下がり容器自体のデザインおよび表記内容を遮視してしまい、容器本体の持っている諸情報の表示および宣伝効果をなくしてしまう問題点がある。
さらに、表示部分が自重で垂れ下がっているため、裏面の情報を意図して可視しなければ確認することができないという欠点があった。
【０００７】
さらに、上記の特許文献３に記載されたものは、起立する表示部分に切れ込みが入っており視認性がよくないため改善したいという要求があった。また、上記の特許文献３に記載されたものは、容器への固定が確実ではなく、そのために、ラベルがボトルの首部から容易に抜けてしまうというおそれがあった。
【０００８】
本発明は、上記の事情に鑑みてなされたもので、以下の目的を達成しようとするものである。
１．起立型のネックＰＯＰラベルを単層で実現すること。
２．表示部分に切れ込みを入れることなく起立型のネックＰＯＰラベルを実現すること。
３．容器への係止を確実にすること。
【課題を解決するための手段】
【０００９】
本発明のネックＰＯＰラベルは、容器上端部に設けられた首部を挿通させる首掛け用のネック挿通部を有し、前記挿通部の縦方向両側に位置する表示部を起立可能なネックＰＯＰラベルであって、
前記ネック挿通部とその中心が一致するとともに対向する二辺が前記縦方向と一致するように前記ネック挿通部の周囲に設けられた仮想矩形において、
前記仮想矩形の頂点から前記ネック挿通部中心側に向けて延在する４本の放射切断線と、
前記放射切断線の前記ネック挿通部中心側端部を結ぶ中心切断部と、を有し、
前記容器に装着した際に、
前記放射切断線と前記横辺との間に形成される胴部係止部の下端が、起立した前記表示部どうしを前記縦辺の横方向外側で接続する接続部よりも、高さ方向下側に位置されることにより上記課題を解決した。
前記仮想矩形における前記縦方向に延在する縦辺の長さをａとし、前記仮想矩形における前記縦方向と直交する横方向に延在する横辺の長さをｂとし、
前記容器の首部径寸法をｒとしたときに、
（ａ＋ｂ）／ｒの値が、２．５５〜２．６５の範囲となるように設定されることができる。
本発明において、前記放射切断線と前記縦辺との間に形成されるネック係止部において、前記縦辺から前記ネック挿通部中心側へ最も突出した中心突出長さをｃとしたときに、
ｃ／ｒの値が、０．４８５〜０．４９５の範囲となるように設定されることがより好ましい。
本発明は、前記放射切断線と前記横辺との間に形成される胴部係止部において、前記横辺から前記ネック挿通部中心側へ最も突出した下側突出長さをｄとしたときに、
ｄ／ｒの値が、０．５６〜０．６６の範囲となるように設定されることが可能である。
また、本発明において、前記縦辺の長さａと前記容器の首部径寸法ｒとにおいて、
ａ／ｒの値が、１．２５〜１．３５の範囲となるように設定される手段を採用することもできる。
また、前記横辺の長さｂと前記容器の首部径寸法ｒとにおいて、
ｂ／ｒの値が、１．２５〜１．３５の範囲となるように設定されることができる。
また、前記縦辺の長さａと  前記横辺の長さｂとにおいて、
ｂ／ａの値が、０．９５〜１．００の範囲となるように設定されることが好ましい。
本発明においては、前記中心突出長さｃと前記下側突出長さｄとにおいて、
ｄ／ｃの値が、１．００〜１．４０の範囲となるように設定されることができる。
また、前記横方向における前記胴部係止部どうしの最近接距離（ｂ−２ｃ）において、
（ｂ−２ｃ）／ｒの値が、０．３０〜０．３２の範囲となるように設定されることができる。
また、前記横方向における前記放射切断線とネックＰＯＰラベル輪郭線との最短距離をｅとしたときに、
ｅ／ｒの値が、０．３５〜０．４０の範囲となるように設定されることができる。
また、前記ネック係止部において、前記縦辺から前記ネック挿通部中心側へ最も突出した中心突出部が、前記容器のネックと点接触可能とされていることができる。
【００１０】
本発明のネックＰＯＰラベルは、容器上端部に設けられた首部を挿通させる首掛け用のネック挿通部を有し、前記挿通部の縦方向両側に位置する表示部を起立可能なネックＰＯＰラベルであって、
前記ネック挿通部とその中心が一致するとともに対向する二辺が前記縦方向と一致するように前記ネック挿通部の周囲に設けられた仮想矩形において、
前記仮想矩形の頂点から前記ネック挿通部中心側に向けて延在する４本の放射切断線と、
前記放射切断線の前記ネック挿通部中心側端部を結ぶ中心切断部と、を有し、
前記容器に装着した際に、
前記放射切断線と前記横辺との間に形成される胴部係止部の下端が、起立した前記表示部どうしを前記縦辺の横方向外側で接続する接続部よりも、高さ方向下側に位置されることにより、両方の表示部を上向きに曲げた状態で、放射切断線と中心切断部とからラベル中央部が開くことで、ネックＰＯＰラベルを容器の首部（ネック）にかけるようにネック挿通部が貫通した状態となる。また、ネックＰＯＰラベルを容器の首部（ネック）に係止する変形に従い、前記放射切断線と前記縦辺との間に形成されるネック係止部の中心側先端がネック上端付近（容器の蓋部下側位置）に当接するとともに、前記放射切断線と前記横辺との間に形成される胴部係止部の下端（中心側先端）が容器の胴部に当接して、表示部が起立した状態で容器首部（ネック）にネックＰＯＰラベルを係止することが可能となる。
【００１１】
本発明のネックＰＯＰラベルは、前記仮想矩形における前記縦方向に延在する縦辺の長さをａとし、前記仮想矩形における前記縦方向と直交する横方向に延在する横辺の長さをｂとし、
前記容器の首部径寸法をｒとしたときに、
（ａ＋ｂ）／ｒの値が、２．５５〜２．６５の範囲となるように設定されることにより、両方の表示部を上向きに曲げた状態で、放射切断線と中心切断部とからラベル中央部が開くことで、ネックＰＯＰラベルを容器の首部（ネック）にかけるようにネック挿通部が貫通した状態となる。また、ネックＰＯＰラベルを容器の首部（ネック）に係止する変形に従い、前記放射切断線と前記縦辺との間に形成されるネック係止部の中心側先端がネック上端付近（容器の蓋部下側位置）に当接するとともに、前記放射切断線と前記横辺との間に形成される胴部係止部の下端（中心側先端）が容器の胴部に当接して、表示部が起立した状態で容器首部（ネック）にネックＰＯＰラベルを係止することが可能となる。さらに、ネックＰＯＰラベルが容器首部に対して四方向に位置規制されてずれることがない。同時に、（ａ＋ｂ）／ｒの値が上記の範囲に設定されたことにより、ネック係止部の中心側先端がネックから外れることがなく、同時に、胴部係止部の下端（中心側先端）が容器の胴部に当接して表示部を起立状態に維持することが可能となる。また、ネック係止部とラベル輪郭との間が下凸に曲面状になりネックから肩部にかけた領域に対して押しつけられて、ラベルの係止を強固におこなうことができる。これにより、表示部分に切れ込みを入れることなく起立型のネックＰＯＰラベルを実現して、容器への係止を確実にし、ネックＰＯＰラベルが脱落しないように装着状態を維持することが可能となる。
【００１２】
さらに、表示部が起立した状態とされているため、容器が複数収納される収納函での収納状態のまま、容器首部（ネック）にネックＰＯＰラベルを係止することが可能となる。また、表示部が起立した状態で容器首部（ネック）にネックＰＯＰラベルを係止することで、容器胴部における表示を隠すことなく視認することが容易となる。
ここで、前記放射切断線は略直線とされて、ネック挿通部中心側端部が、横方向におけるネック挿通部中心に対して対象な位置で２本ずつ接続され、この接続点がネック係止部の中心側先端として突出した状態とすることができる。また、これらネック係止部の中心側先端どうしを、ネック係止部の中心を通る直線状とされた切断線で接続して中心切断部とすることができる。中心切断部は、放射切断線と同じように直線状とすることもできるが、より幅を広く設定することもでき、例えば、その中央が拡幅された形状とすることもできる。
【００１３】
本発明において、前記放射切断線と前記縦辺との間に形成されるネック係止部において、前記縦辺から前記ネック挿通部中心側へ最も突出した中心突出長さをｃとしたときに、
ｃ／ｒの値が、０．４８５〜０．４９５の範囲となるように設定されることにより、両方の表示部を上向きに曲げた状態で、放射切断線と中心切断部とからラベル中央部が開いた状態で、縦方向（縦辺方向）における容器の首部径寸法に対するネック挿通部として貫通状態を形成する大きさを規定して、ネック係止部の中心側先端がネック上端付近（容器の蓋部下側位置）に当接する状態を確実にして、容器への係止をおこない、ネックＰＯＰラベルが脱落しないように装着状態を維持することが可能となる。同時に、横方向に押圧されるネック係止部の中心側先端の傾き具合（押圧状態）を制御して、ネック係止部の中心側先端がネック上端付近（容器の蓋部下側位置）に当接する状態を確実にして、容器への係止をおこない、ネックＰＯＰラベルが脱落しないように装着状態を維持することが可能となる。
【００１４】
本発明は、前記放射切断線と前記横辺との間に形成される胴部係止部において、前記横辺から前記ネック挿通部中心側へ最も突出した下側突出長さをｄとしたときに、
ｄ／ｒの値が、０．５６〜０．６６の範囲となるように設定されることにより、両方の表示部を上向きに曲げた状態で、放射切断線と中心切断部とからラベル中央部が開いた状態で、縦方向（縦辺方向）における容器の首部径寸法に対するネック挿通部として貫通状態を形成する大きさを規定して、胴部係止部の下端（中心側先端）がネックと胴部との境界である肩部付近に当接する状態を確実にして、表示部の起立状態を維持して容器への係止をおこない、ネックＰＯＰラベルが脱落しないように起立装着状態を維持することが可能となる。同時に、縦方向に引張されるネック係止部のラベル輪郭線側（外側）の開き具合（引張状態）を制御して、胴部係止部の下端（中心側先端）がネックと胴部との境界である肩部付近に当接する状態を確実にして、表示部の起立状態を維持して容器への係止をおこない、ネックＰＯＰラベルが脱落しないように起立装着状態を維持することが可能となる。
【００１５】
また、本発明において、前記縦辺の長さａと前記容器の首部径寸法ｒとにおいて、
ａ／ｒの値が、１．２５〜１．３５の範囲となるように設定されることにより、両方の表示部を上向きに曲げた状態で、放射切断線と中心切断部とからラベル中央部が開いた状態で、縦方向（縦辺方向）における容器の首部径寸法に対するネック挿通部として貫通状態を形成する大きさを規定して、胴部係止部の下端（中心側先端）がネックと胴部との境界である肩部付近に当接する状態を確実にして、表示部の起立状態を維持して容器への係止をおこない、ネックＰＯＰラベルが脱落しないように起立装着状態を維持することが可能となる。同時に、縦方向に引張されるネック係止部のラベル輪郭線側（外側）の開き具合（引張状態）を制御して、胴部係止部の下端（中心側先端）がネックと胴部との境界である肩部付近に当接する状態を確実にして、表示部の起立状態を維持して容器への係止をおこない、ネックＰＯＰラベルが脱落しないように起立装着状態を維持することが可能となる。
【００１６】
また、前記横辺の長さｂと前記容器の首部径寸法ｒとにおいて、
ｂ／ｒの値が、１．２５〜１．３５の範囲となるように設定されることにより、両方の表示部を上向きに曲げた状態で、放射切断線と中心切断部とからラベル中央部が開いた状態で、横方向（横辺方向）における容器の首部径寸法に対するネック挿通部として貫通状態を形成する大きさを規定して、ネック係止部の中心側先端がネック上端付近（容器の蓋部下側位置）に当接する状態を確実にして、容器への係止をおこない、ネックＰＯＰラベルが脱落しないように装着状態を維持することが可能となる。同時に、横方向に押圧されるネック係止部の中心側先端の傾き具合（押圧状態）を制御して、ネック係止部の中心側先端がネック上端付近（容器の蓋部下側位置）に当接する状態を確実にして、容器への係止をおこない、ネックＰＯＰラベルが脱落しないように装着状態を維持することが可能となる。
【００１７】
また、前記縦辺の長さａと  前記横辺の長さｂとにおいて、
ｂ／ａの値が、０．９５〜１．００の範囲となるように設定されることにより、両方の表示部を上向きに曲げた状態で、放射切断線と中心切断部とからラベル中央部に形成されるネック挿通部における貫通状態を規定して、ネック係止部の中心側先端がネック上端付近（容器の蓋部下側位置）に当接する状態と、胴部係止部の下端（中心側先端）がネックと胴部との境界である肩部付近に当接する状態とをそれぞれ制御するとともに、これらの押圧力の比率を制御して、表示部の起立状態を維持して容器への係止をおこない、ネックＰＯＰラベルが脱落しないように起立装着状態を維持することが可能となる。
【００１８】
本発明においては、前記中心突出長さｃと前記下側突出長さｄとにおいて、
ｄ／ｃの値が、１．００〜１．４０の範囲となるように設定されることにより、両方の表示部を上向きに曲げて放射切断線と中心切断部とからラベル中央部が開いた状態で、縦方向に引張されるネック係止部のラベル輪郭線側（外側）の開き具合（引張状態）と、横方向に押圧されるネック係止部の中心側先端の傾き具合（押圧状態）と、を同時に制御して、胴部係止部の下端（中心側先端）がネックと胴部との境界である肩部付近に当接する状態と、ネック係止部の中心側先端がネック上端付近（容器の蓋部下側位置）に当接する状態と、を同時に確実な状態として、表示部の起立状態を維持するとともに容器への係止をおこない、ネックＰＯＰラベルが脱落しないように起立装着状態を維持することが可能となる。
【００１９】
また、前記横方向における前記胴部係止部どうしの最近接距離（ｂ−２ｃ）において、
（ｂ−２ｃ）／ｒの値が、０．３０〜０．３２の範囲となるように設定されることにより、両方の表示部を上向きに曲げた状態で、放射切断線と中心切断部とからラベル中央部が開いた状態で、縦方向（縦辺方向）における容器の首部径寸法に対するネック挿通部として貫通状態を形成する大きさを規定して、ネック係止部の中心側先端がネック上端付近（容器の蓋部下側位置）に当接する状態を確実にして、容器への係止をおこない、ネックＰＯＰラベルが脱落しないように装着状態を維持することが可能となる。同時に、横方向に押圧されるネック係止部の中心側先端の傾き具合（押圧状態）を制御して、ネック係止部の中心側先端がネック上端付近（容器の蓋部下側位置）に当接する状態を確実にして、容器への係止をおこない、ネックＰＯＰラベルが脱落しないように装着状態を維持することが可能となる。ここで、上記のように（ｂ−２ｃ）／ｒの値を設定する事で、中心切断部の形状、つまり、胴部係止部の下端（中心側先端）の輪郭形状設定における自由度を向上することが可能となる。
【００２０】
また、前記横方向における前記放射切断線とネックＰＯＰラベル輪郭線との最短距離をｅとしたときに、
ｅ／ｒの値が、０．３５〜０．４０の範囲となるように設定されることにより、ネック係止部のラベル輪郭線側（外側）の幅寸法を設定することが可能となり、縦方向に引張されるネック係止部のラベル輪郭線側（外側）の開き具合（引張状態）と引張具合とを設定することができる。同時に、ネック係止部のラベル輪郭線側（外側）における湾曲具合、つまり、装着状態で起立した表示部下端横方向端部どうしを接続する引張力を設定可能とすることで、表示部の起立状態を設定することが可能となる。
【００２１】
また、前記ネック係止部において、前記縦辺から前記ネック挿通部中心側へ最も突出した中心突出部が、前記容器のネックと点接触可能とされていることにより、容器首部における断面輪郭に影響を受けることなく、ネック係止部の中心側先端がネック上端付近（容器の蓋部下側位置）に当接する状態を確実にして、容器への係止をおこなうとともに、装着状態で起立した表示部下端横方向端部どうしを接続する引張力を設定可能とすることができる。
【発明の効果】
【００２２】
本発明によれば、表示部を起立させて装着でき、容器胴部の表示を隠すことなく、同時に、表示部分に切れ込みを入れることなく、起立型のネックＰＯＰラベルを単層で実現するとともに、容器への係止を確実にすることができるという効果を奏することが可能となる。
【図面の簡単な説明】
【００２３】
【図１】本発明に係るネックＰＯＰラベルの第１実施形態を示す平面図である。
【図２】本発明に係るネックＰＯＰラベルの第１実施形態における装着状態を示す斜視図である。
【図３】本発明に係るネックＰＯＰラベルの第２実施形態を示す平面図である。
【図４】本発明に係るネックＰＯＰラベルの第３実施形態を示す平面図である。
【発明を実施するための形態】
【００２４】
以下、本発明に係るネックＰＯＰラベルの第１実施形態を、図面に基づいて説明する。
図１は、本実施形態におけるネックＰＯＰラベルを示す平面図であり、図２は、本実施形態におけるネックＰＯＰラベルの装着状態を示す斜視図であり、図において、符号１０は、ネックＰＯＰラベルである。
【００２５】
本実施形態に係るネックＰＯＰラベル（ラベル）１０は、図１，図２に示すように、商品のＰＲ広告やキャンペーン等の各種情報を記載して、消費者の注意を喚起しつつ情報提供するためのものであり、清涼飲料水、酒類や調味料、化粧品、医薬品等が充填された容器Ｂの肩部Ｂ３に装着される。
【００２６】
容器Ｂは、図２に示すように、液体等を充填する容器本体Ｂ４の上部に形成された首部Ｂ２にキャップ（蓋部）Ｂ１を緊締してなるものである。この容器Ｂの容器本体Ｂ４の胴部Ｂ５は、断面が略円形とされており、容器本体Ｂ４の上部において、首部Ｂ２に向かって断面の径寸法が漸次小となる肩部Ｂ３が形成されている。また、容器Ｂにおいて、キャップＢ１の下側位置において、首部Ｂ２とは段差が形成されるように、キャップＢ１に比べて首部Ｂ２の径寸法が小さくなるように設定されている。
【００２７】
また、図１においては、容器Ｂの首部Ｂ２における径寸法が、符号ｒとして示されており、また、キャップ（蓋部）Ｂ１の下側位置における首部Ｂ２と段差となる部分の最大径寸法が、符号Ｒとして示されている。
ここで、これらの径寸法は、ｒ＜Ｒ、の関係を満たしている。
【００２８】
本実施形態に係るネックＰＯＰラベル１０は、図１，図２に示すように、略矩形に形成された一枚のシート材からなり、その長手方向両端位置を表示部１１ａ，１１ｂとしたものである。
本実施形態におけるシート材は、紙やフィルム等の可撓性を有するものとされ、角が丸められた矩形とされてもよい。
【００２９】
表示部１１ａおよび表示部１１ｂは、ネックＰＯＰラベル１０の長手方向となる縦方向（Ｙ方向）両端に設けられ、それぞれほぼ等しいか対称な輪郭形状を有している。表示部１１ａ，１１ｂの輪郭形状としては、他の形態も可能である。
表示部１１ｂには、図２に示すように、起立した際に外側となる面に、リーフレット１１ｃが設けられていることもできる。なお、表示部１１ａの外側面、あるいは、表示部１１ａ，１１ｂにおける起立時の内側面にも、このようなリーフレットを設けることが可能である。
リーフレット１１ｃは、枚葉の用紙を折り畳む、あるいは、複数枚を重ねて一方から開けるように接続して、印刷等の表示面積を増大させて、ネックＰＯＰラベル１０に搭載する表示情報量を増やすことを可能としている。さらに、ブックレットのように形成することもできる。なお、リーフレット１１ｃを設けないこともできる。
【００３０】
ネックＰＯＰラベル１０の中央には、図１に示すように、切り込み線によって容器Ｂ上端部に設けられた首部Ｂ２を挿通させる首掛け用のネック挿通部１２が形成されている。
【００３１】
ネック挿通部１２は、その中心１２ａがネックＰＯＰラベル１０の中心と一致する。ネック挿通部１２は、中心１２ａに対して点対称に設けられる。
具体的には、まず、対向する二辺（縦辺）１４ａ，１４ｂが縦方向（Ｙ方向）と一致するとともに、これら二辺（縦辺）１４ａ，１４ｂにその端部で相互に接続される対向する二辺（横辺）１４ｃ，１４ｄと、が横方向（Ｘ方向）と一致するようにネック挿通部１２の周囲に設けられた仮想矩形１４を設定する。
仮想矩形１４の中心点は、ネック挿通部１２の中心１２ａと一致している。
【００３２】
こ設定された仮想矩形１４において、その頂点１５ａ〜１５ｄからネック挿通部１２の中心１２ａ側に向けて延在する４本の放射切断線１６ａ〜１６ｄと、この放射切断線１６ａ〜１６ｄのネック挿通部１２中心１２ａ側端部１７ａ，１７ｂを結ぶ中心切断部１７と、を切り込み線として設ける。
【００３３】
これら放射切断線１６ａ〜１６ｄおよび中心切断部１７は、ネック挿通部１２を構成している。
本実施形態において、これら放射切断線１６ａ〜１６ｄおよび中心切断部（中心切断線）１７は、いずれも直線状に形成されているが、これに限定されるものではなく、後述の寸法関係を満たしていれば、Ｘ方向の外側に凸である弧状、Ｘ方向の内側に凸である弧状、Ｙ方向の外側に凸である弧状、Ｙ方向の内側に凸である弧状、あるいは、頂点１５ａ、１５ｂと端部１７ａとを結ぶとともに頂点１５ｃ，１５ｄと端部１７ｂとを結ぶ曲線あるいは折れ線等、他の形状とすることも可能である。また、中心１２ａに対して点対称であることが好ましいが、これに限られるものではない。
【００３４】
放射切断線１６ａ，１６ｂと縦辺１４ａとの間には、ネック係止部１８ａが形成されており、放射切断線１６ｃ，１６ｄと縦辺１４ｂとの間には、ネック係止部１８ｂが形成されている。
【００３５】
ネック係止部１８ａ，１８ｂは、その外側、つまり、縦辺１４ａ，１４ｂとネックＰＯＰラベル１０の輪郭１０ａとの間が接続部１３ａ，１３ｂとされている。
【００３６】
接続部１３ａ，１３ｂは、縦方向（Ｙ方向）における表示部１１ａの中心１２ａ側で、横方向（Ｘ方向）における両端位置と、縦方向（Ｙ方向）における表示部１１ｂの中心１２ａ側で、横方向（Ｘ方向）における両端位置と、を接続している。
接続部１３ａ，１３ｂの外側輪郭は、それぞれネックＰＯＰラベル１０の輪郭１０ａの一部となっている。
【００３７】
ネック係止部１８ａと接続部１３ａとは、一体に形成されており、仮想線である縦辺１６ａの両側で面一とされており、ネック係止部１８ｂと接続部１３ｂとは、一体に形成されており、仮想線である縦辺１６ｂの両側で面一とされている。
【００３８】
接続部１３ａの幅寸法ｅは、頂点１５ａ，１５ｂとネックＰＯＰラベル１０の輪郭線１０ａとの距離ｅ、すなわち、横方向（Ｘ方向）における放射切断線１６ａ，１６ｂとネックＰＯＰラベル１０の輪郭線１０ａとの最短距離ｅに等しくなる。
接続部１３ａの幅寸法ｅは、一体として形成されているネック係止部１８ａおよび接続部１３ａにおける最も小さい値となっている。
【００３９】
接続部１３ｂの幅寸法ｅは、頂点１５ｃ，１５ｄとネックＰＯＰラベル１０の輪郭線１０ａとの距離ｅ、すなわち、横方向（Ｘ方向）における放射切断線１６ｃ，１６ｄとネックＰＯＰラベル１０の輪郭線１０ａとの最短距離ｅと等しくなっている。
接続部１３ｂの幅寸法ｅは、一体として形成されているネック係止部１８ｂおよび接続部１３ｂにおける最も小さい値となっている。
【００４０】
放射切断線１６ａ，１６ｄおよび中心切断部１７と横辺１４ｃとの間には、胴部係止部１９ａが形成されており、放射切断線１６ｂ，１６ｃおよび中心切断部１７と横辺１４ｄとの間には、胴部係止部１９ｂが形成されている。
【００４１】
胴部係止部１９ａは、表示部１１ａにおける縦方向（Ｙ方向）の中心１２ａ側に位置している横辺１４ｃに接続され、かつ、横辺１４ｃの横方向（Ｘ方向）における全長で接続されている。胴部係止部１９ａの接続された表示部１１ａ横方向（Ｘ方向）両外側位置には、接続部１３ａ，１３ｂが隣接して接続されている。胴部係止部１９ａは表示部１１ａと一体に形成されており、仮想線である横辺１４ｃの両側で胴部係止部１９ａと表示部１１ａとが面一とされている。
【００４２】
胴部係止部１９ｂは、表示部１１ｂにおける縦方向（Ｙ方向）の中心１２ａ側に位置している横辺１４ｄに接続され、かつ、横辺１４ｄの横方向（Ｘ方向）における全長で接続されている。胴部係止部１９ｂの接続された表示部１１ｂ横方向（Ｘ方向）両外側位置には、接続部１３ａ，１３ｂが隣接して接続されている。胴部係止部１９ｂは表示部１１ｂと一体に形成されており、仮想線である横辺１４ｄの両側で胴部係止部１９ｂと表示部１１ｂとが面一とされている。
【００４３】
本実施形態においては、上述した構成において、以下のように、各寸法、あるいは、寸法比が設定されている。
仮想矩形１４における縦方向（Ｙ方向）に延在する縦辺１４ａ，１４ｂの長さａ、
仮想矩形１４における縦方向と直交する横方向（Ｘ方向）に延在する横辺１４ｃ，１４ｄの長さｂ、
ネック係止部１８ａ，１８ｂにおいて、縦辺１４ａ，１４ｂからネック挿通部１２中心１２ａ側へ最も突出した中心突出長さｃ、
胴部係止部１９ａ，１９ｂにおいて、横辺１４ｃ，１４ｄからネック挿通部１２中心１２ａ側へ最も突出した下側突出長さｄ、
横方向（Ｘ方向）における放射切断線１６ａ〜１６ｄとネックＰＯＰラベル１０輪郭線１０ａとの最短距離（接続部１３ａ，１３ｂのＸ方向幅寸法）ｅ。
【００４４】
これら寸法ａ〜ｅを、容器Ｂの首部Ｂ２の径寸法ｒに対して、あるいは相互の関係として、以下のように設定する。
【００４５】
２．５５≦ （ａ＋ｂ）／ｒ ≦２．６５
【００４６】
０．４８５≦ ｃ／ｒ ≦０．４９５
【００４７】
０．５６≦ ｄ／ｒ ≦０．６６
【００４８】
１．２５≦ ａ／ｒ ≦１．３５
【００４９】
１．２５≦ ｂ／ｒ ≦１．３５
【００５０】
０．９５≦ ｂ／ｒ ≦１．００
【００５１】
１．００≦ ｄ／ｃ ≦１．４０
【００５２】
０．３０≦ （ｂ−２ｃ）／ｒ ≦０．３２
【００５３】
０．３５≦ ｅ／ｒ ≦０．４０
【００５４】
また、これら寸法ａ〜ｅを、キャップＢ１の下側位置における首部Ｂ２と段差となる部分の最大径寸法Ｒに対して、あるいは相互の関係として、以下のように設定することもできる。
【００５５】
２．３５≦ （ａ＋ｂ）／Ｒ ≦２．４５
【００５６】
０．４６５≦ ｃ／Ｒ ≦０．４７５
【００５７】
０．５１≦ ｄ／Ｒ ≦０．６１
【００５８】
１．２１≦ ａ／Ｒ ≦１．３１
【００５９】
１．２１≦ ｂ／Ｒ≦１．３１
【００６０】
０．９１≦ ｂ／Ｒ≦０．９６
【００６１】
０．２８≦ （ｂ−２ｃ）／Ｒ ≦０．３０
【００６２】
０．３１≦ ｅ／Ｒ ≦０．３６
【００６３】
本実施形態のネックＰＯＰラベル１０においては、図２に示すように、両方の表示部１１ａ，１１ｂを上向きに曲げることにより、放射切断線１６ａ〜１６ｄと中心切断部（中心切断線）１７とからラベル中心１２ａ付近が貫通状態となるように開くことができる。この状態で、ネックＰＯＰラベル１０を容器Ｂの首部（ネック）Ｂ２にかけることで、ネック挿通部１２を首部（ネック）Ｂ２が貫通した状態となる。
【００６４】
このとき、ネックＰＯＰラベル１０を容器Ｂの首部（ネック）Ｂ２に係止する変形に従い、ネック係止部１８ａ，１８ｂの中心側先端１７ａ，１７ｂがネックＢ２上端付近（容器のキャップＢ１下側位置）の段差に当接する。
同時に、胴部係止部１９ａ，１９ｂの下端（中心側先端）が容器Ｂの胴部Ｂ５あるいは肩部Ｂ３付近に当接する。
【００６５】
このとき、ネック係止部１８ａ，１８ｂが当接した首部（ネック）Ｂ２から横方向（Ｘ方向）の外側に向けて押圧される。同時に、接続部１３ａ，１３ｂが接続している表示部１１ａ，１１ｂ下端によって横方向（Ｘ方向）の中心１２ａ側（内側）に向けて押圧される。
【００６６】
また、接続部１３ａ，１３ｂが湾曲して、表示部１１ａ，１１ｂ下端から下凸で、かつ、横方向（Ｘ方向）の中心１２ａ側（内側）がＺ方向上側（上方向位置）に位置する状態となる。この変形した接続部１３ａ，１３ｂの弾性力により、中心側先端１７ａ，１７ｂからのネックＢ２へのＸ方向内側向きおよびＺ方向下向きとなる押圧状態、および、接続部１３ａ，１３ｂの縦方向（Ｙ方向）中央位置の肩部Ｂ３への下向きとなる押圧状態が維持される。
【００６７】
同時に、接続部１３ａ，１３ｂの湾曲により、表示部１１ａ，１１ｂ下端が縦方向（Ｙ方向）中心向きに引張される。これにより、キャップＢ１に当接している表示部１１ａ，１１ｂ内面がキャップＢ１を押圧するとともに、胴部係止部１９ａ，１９ｂの下端（中心側先端）が肩部Ｂ３付近に当接して、肩部Ｂ３付近をＺ方向に押圧する状態となる。
【００６８】
これにより、表示部が起立した状態で容器首部（ネック）にネックＰＯＰラベルを係止することが可能となる。
【００６９】
なお、本実施形態のネックＰＯＰラベル１０においては、ａ，ｂ，ｃ，ｄ，ｅ，ｒ，Ｒの各寸法およびその関係を上記のように設定することにより、両方の表示部１１ａ，１１ｂを上向きに曲げた状態で、放射切断線１６ａ〜１６ｄと中心切断部とから中心１２ａ付近が開くことで、ネックＰＯＰラベル１０を容器Ｂの首部（ネック）Ｂ２にかけるようにネック挿通部１２が貫通した状態となる。
【００７０】
このようにネックＰＯＰラベル１０を容器Ｂの首部（ネック）Ｂ２に係止させるよう変形したことで、放射切断線１６ａ，１６ｂと縦辺１４ａとの間に形成されるネック係止部１８ａの中心側先端１７ａ、および、放射切断線１６ｃ，１６ｄと縦辺１４ｂとの間に形成されるネック係止部１８ｂの中心側先端１７ｂが、ネックＢ２上端付近（容器ＢのキャップＢ１下側位置の段差）に当接する。
【００７１】
同時に、放射切断線１６ｂ，１６ｃと横辺１４ｄとの間に形成される胴部係止部１９ｂの下端（中心１２ａ側先端）、および、放射切断線１６ａ，１６ｄと横辺１４ｃとの間に形成される胴部係止部１９ａの下端（中心１２ａ側先端）が、容器Ｂの胴部Ｂ５付近の肩部Ｂ３に当接して、表示部１１ａ，１１ｂが起立した状態で容器Ｂの首部（ネック）Ｂ２にネックＰＯＰラベル１０を係止することが可能となる。
【００７２】
さらに、ネックＰＯＰラベル１０が容器ＢのネックＢ２に対して縦方向（Ｙ方向）および横方向（Ｘ方向）の四方向から中心１２ａに向けて位置規制されるとともに、上下方向（Ｚ方向）にもネックＢ２の段差と肩部Ｂ３とに挟まれて位置規制され、この状態がずれることがない。
【００７３】
同時に、ネック係止部１８ａ，１８ｂの中心側先端１７ａ，１７ｂがネックＢ２から外れることがなく、同時に、胴部係止部１９ａ，１９ｂの下端（中心１２ａ側先端）が容器Ｂの肩部Ｂ３に当接して表示部１１ａ，１１ｂを起立状態に維持することが可能となる。また、ネック係止部１８ａ，１８ｂとラベル輪郭１０ａとの間が下凸に曲面状になりネックＢ２から肩部Ｂ３にかけた領域に対して押しつけられて、ラベル１０の係止を強固におこなうことができる。
【００７４】
これにより、表示部１１ａ，１１ｂの下側位置に切れ込みを入れることなく起立させ、表示部１１ａ，１１ｂの表示領域を起立させて係止するタイプのネックＰＯＰラベル１０を実現し、容器Ｂへの係止を確実にし、ネックＰＯＰラベル１０が脱落しないように装着状態を維持することが可能となる。
【００７５】
さらに、表示部１１ａ，１１ｂが起立した状態とされているため、複数の容器Ｂが近接して収納される収納函に収納された状態のまま、容器Ｂの首部（ネック）Ｂ２にネックＰＯＰラベル１０を係止することが可能となる。また、表示部１１ａ，１１ｂが起立した状態で容器Ｂの首部（ネック）Ｂ２にネックＰＯＰラベル１０を係止することで、容器Ｂの胴部Ｂ５における表示を隠すことなく視認することが容易となる。
【００７６】
両方の表示部１１ａ，１１ｂを上向きに曲げた状態で、放射切断線１６ａ〜１６ｄと中心切断線１７とからラベル１０中心１２ａ付近が開いた状態で、縦方向（Ｙ方向）における容器Ｂの首部Ｂ２径寸法に対するネック挿通部１２として貫通状態を形成する大きさとして、上記のａ〜ｅ，ｒ，Ｒの寸法・関係が設定されているため、装着状態としてキャップＢ１が貫通可能であるとともに、ネック係止部１８ａ，１８ｂの中心側先端１７ａ，１７ｂがネックＢ２の段差に当接する状態を確実にして、ネックＰＯＰラベル１０を容器に係止することが可能となるとともに、ネックＰＯＰラベル１０が脱落しないように装着状態を維持することを両立して可能とすることができる。
【００７７】
同時に、横方向（Ｘ方向）外側に向けてネックＢ２から押圧されるネック係止部１８ａ，１８ｂの中心側先端１７ａ，１７ｂにおいて、その傾き具合（押圧状態）を制御して、ネック係止部１８ａ，１８ｂの中心側先端１７ａ，１７ｂがネックＢ２上端付近の段差に当接する状態を確実にして、ネックＰＯＰラベル１０が容器に係止されることを可能とするとともにその装着状態を維持することができる。
【００７８】
また、両方の表示部１１ａ，１１ｂを上向きに曲げてネックＢ２貫通可能とされたラベル装着状態において、横方向（Ｘ方向）におけるネックＢ２外径寸法に対するネック挿通部１２としての貫通状態の設定とともに、胴部係止部１９ａ，１９ｂの下端（中心側先端）が肩部Ｂ３付近に確実に当接させることができ、これにより、表示部１１ａ，１１ｂの起立状態を維持して容器Ｂへ押圧させて、ネックＰＯＰラベル１０が脱落しないように起立装着状態を維持することが可能となる。
【００７９】
同時に、縦方向（Ｙ方向）に引張されるネック接続部１３ａ，１３ｂのラベル輪郭線１０ａ側（外側）の開き具合（引張状態）を制御して、胴部係止部１９ａ，１９ｂ下端（中心側先端）の肩部Ｂ３付近への押圧状態を設定して、表示部１１ａ，１１ｂの起立状態を好適な角度に設定し、同時に、容器Ｂへの係止を確実にして起立装着状態のネックＰＯＰラベル１０が脱落しないようにすることが可能となる。
【００８０】
また、横方向（Ｘ方向）におけるネック係止部１８ａ，１８ｂの中心１２ａ側先端１７ａ，１７ｂが容器ＢのキャップＢ１下側段差に当接する押圧状態とその傾き具合（押圧状態）とを設定するとともに、同時に、縦方向（Ｙ方向）における胴部係止部１９ａ，１９ｂの下端（中心１２ａ側先端）が肩部Ｂ３付近に当接する押圧状態を設定することができる。
【００８１】
これにより、横方向（Ｘ方向）と縦方向（Ｙ方向）とにおいて、ネックＢ２からネック係止部１８ａ，１８ｂおよび胴部係止部１９ａ，１９ｂがそれぞれ押圧される押圧比を設定して、ネックＰＯＰラベル１０が外れないように表示部１１ａ，１１ｂの起立状態を維持することが可能となる。
【００８２】
同時に、縦方向（Ｙ方向）に引張される接続部１３ａ，１３ｂの外側への開き具合（引張状態）と、横方向（Ｘ方向）に押圧されるネック係止部１８ａ，１８ｂの中心１２ａ側先端１７ａ，１７ｂの傾き具合（押圧状態）と、を同時に設定して、胴部係止部１９ａ，１９ｂの下端（中心１２ａ側先端）が肩部Ｂ３付近に当接する状態と、ネック係止部１８ａ，１８ｂの中心１２ａ側先端１７ａ，１７ｂがキャップＢ１下側位置の段差に当接する状態と、を同時に制御して、確実な係止状態を維持することが可能となる。
【００８３】
また、中心切断線１７の形状、つまり、胴部係止部１９ａ，１９ｂの下端（中心１２ａ側先端）の輪郭形状設定における自由度を向上することが可能となる。
【００８４】
また、接続部１３ａ，１３ｂの幅寸法を設定することが可能となり、縦方向（Ｙ寸法）に引張される接続部１３ａ，１３ｂの開き具合（引張状態）と肩部Ｂ３付近への押圧具合とを設定することができる。さらに、接続部１３ａ，１３ｂにおける湾曲具合、つまり、装着状態で起立した表示部１１ａ，１１ｂ下端横方向端部どうしを接続する引張力を設定可能とすることで、表示部１１ａ，１１ｂの起立状態を設定することが可能となる。
【００８５】
また、ネック係止部１８ａ，１８ｂの中心１２ａ側先端１７ａ，１７ｂがネックＢ２とそれぞれ点接触可能とされていることにより、外形寸法ｒによる規定のみでネック係止部１８ａ，１８ｂへの押圧力を設定することが可能となり、ネックＢ２における断面輪郭形状に影響を受けることなく、ネック係止部１８ａ，１８ｂの中心１２ａ側先端１７ａ，１７ｂがキャップＢ１下側位置の段差に当接する状態を確実にして、容器ＢへのネックＰＯＰラベル１０の係止をおこなうとともに、装着状態で起立した表示部１１ａ，１１ｂ下端横方向端部どうしを接続する引張力を設定して表示部１１ａ，１１ｂの起立状態を設定可能とすることができる。
さらに、リーフレット１１ｃが極めて厚く、その重量が増大した場合でも、本実施形態におけるネックＰＯＰラベル１０では、その重量に対抗して表示部１１ａ，１１ｂを起立状態として維持することが可能となる。
【００８６】
以下、本発明に係るネックＰＯＰラベルの第２実施形態を、図面に基づいて説明する。
図３は、本実施形態におけるネックＰＯＰラベルを示す平面図であり、本実施形態において、上述した第１実施形態と異なるのは、頂点１５ａ〜１５ｄ付近の放射切断線１６ａ〜１６ｄ形状に関する点と、輪郭１０ａに関する点であり、これ以外の上述した第１実施形態と対応する構成には同一の符号を付してその説明を省略する。
【００８７】
本実施形態では、頂点１５ａ〜１５ｄ付近の放射切断線１６ａ〜１６ｄがそれぞれ、小さな弧状に形成されている。
ここで、放射切断線１６ａ〜１６ｄの弧状部分において、その縦方向（Ｙ方向）の最外側位置が、それぞれ仮想矩形１４の横片１４ｃ，１４ｄに接するように設定され、その横方向（Ｘ方向）の最外側位置が、それぞれ仮想矩形１４の縦辺１４ａ，１４ｂに接するように設定されている。
【００８８】
なお、図において、放射切断線１６ａ〜１６ｄの弧状部分における先端が、横方向（Ｘ方向）外側に湾曲するように形成しているが、放射切断線１６ａ〜１６ｄの弧状部分における先端が、縦方向（Ｙ方向）外側に湾曲するように形成することも可能である。
これらの場合でも、仮想矩形１４の頂点１５ａ〜１５ｄの設定は、第１実施形態と同様であり、寸法ａ〜ｅ，ｒ，Ｒの設定も同様にすることができる。
【００８９】
また、本実施形態においては、輪郭１０ａの四隅が大きく弧状に形成されている。
【００９０】
本実施形態においては、上述した第１実施形態と同様の効果を奏することができる。
【００９１】
以下、本発明に係るネックＰＯＰラベルの第３実施形態を、図面に基づいて説明する。
図４は、本実施形態におけるネックＰＯＰラベルを示す平面図であり、本実施形態において、上述した第１実施形態と異なるのは、放射切断線１６ａ〜１６ｄ形状に関する点と、中心切断部１７の形状に関する点であり、これ以外の上述した第１実施形態と対応する構成には同一の符号を付してその説明を省略する。
【００９２】
本実施形態では、放射切断線１６ａ〜１６ｄがそれぞれ、大きな弧状に形成されている。
また、本実施形態では、中心切断部１７が縦方向（Ｙ方向）に大きな寸法を有しており、ネックＰＯＰラベル１０が平面状であっても貫通孔を有する状態とされている。つまり、中心切断線１７が幅広となるように形成されているものである。この中心切断部１７の形状にともなって、胴部係止部のＹ方向寸法ｄが第１実施形態の値よりも小さくなるように設定されている。
【００９３】
本実施形態においては、仮想矩形１４の頂点１５ａ〜１５ｄの設定は、第１実施形態と同様であり、寸法ａ〜ｅ，ｒ，Ｒの設定も同様にすることができ、上述した第１実施形態と同様の効果を奏することができる。
【実施例】
【００９４】
以下、本発明にかかる実施例を説明する。
【００９５】
なお、本発明における具体例について説明する。
ここでは、図１に示すネックＰＯＰラベルとし、以下にその諸元を示す。
【００９６】
ａ；３４．３ｍｍ
ｂ；３３．４ｍｍ
ｃ；１２．６５ｍｍ
ｄ；１７．６５ｍｍ
ｂ−２ｃ；８．１ｍｍ
ｅ；９．３ｍｍ
【００９７】
これらの寸法を有するネックＰＯＰラベルを、以下の寸法を有する市販のペットボトルに装着した。
ｒ；２５．８ｍｍ
Ｒ；３３．０ｍｍ
【００９８】
このような寸法を有するネックＰＯＰラベルは、表示部が起立した状態で、印刷した表示領域の目視状態もよく、また、容器胴部の表示を隠すことがなかった。また、キャップ下側の段差で係止されて、簡単には外れなかった。
【００９９】
次に比較として、次のようなネックＰＯＰラベルを用意して、同じ容器に係止したが、簡単に外れるか、表示領域の目視状態がよくなかった。
ａ対応；３８．３ｍｍ
ｂ対応；３７．４ｍｍ
ｃ対応；１０．６５ｍｍ
ｅ対応；５．３ｍｍ
【０１００】
この結果から、本発明のネックＰＯＰラベルは、良好な表示と確実な係止とを両立させることがわかる。
【符号の説明】
【０１０１】
１０…ネックＰＯＰラベル
１１ａ，１１ｂ…表示部
１１ｃ…リーフレット
１２…ネック挿通部
１２ａ…中心
１３ａ，１３ｂ…接続部
１４…仮想矩形
１４ａ，１４ｂ…縦辺
１４ｃ，１４ｄ…横辺
１５ａ〜１５ｄ…頂点
１６ａ〜１６ｄ…放射切断線
１７ａ，１７ｂ…端部
１７…中心切断部（中心切断線）
１８ａ，１８ｂ…係止部
１９ａ、１９ｂ…胴部係止部
Ｂ…容器
Ｂ２…首部
Ｂ１…キャップ（蓋部）
Ｂ３…肩部
Ｂ５…胴部
Ｂ４…容器本体
【図１】
2019064664.tif 000003
【図２】
2019064664.tif 000004
【図３】
2019064664.tif 000005
【図４】
2019064664.tif 000006